(57)【要約】【目的】少なくとも２種類の宝石類を交互に配置して鹿の子模様を形成し、そのうちの少なくとも１種類の宝石類を透明ないし半透明とすることにより、新規な風合を有する鹿の子模様の装身具を提供することを目的としている。【構成】所定の表面模様を備えた背面部材上に、少なくとも２種類の宝石類を交互に配置して鹿の子模様を形成し、そのうちの少なくとも１種類の宝石類を透明ないし半透明として、透明な接着剤を用いて固着したことを特徴とする鹿の子模様の装身具。【選択図】      図１
2006246970.tif 000002
【特許請求の範囲】
【請求項１】
所定の表面模様を備えた背面部材上に、少なくとも２種類の宝石類を交互に配置して鹿の子模様を形成し、そのうちの少なくとも１種類の宝石類を透明ないし半透明として、透明な接着剤を用いて固着したことを特徴とする鹿の子模様の装身具。
【請求項２】
請求項１において透明ないし半透明の宝石類が、水晶であることを特徴とする鹿の子模様の装身具。
【請求項３】
請求項１において所定の表面模様を備えた背面部材が、表面研磨した貝殻からなることを特徴とする鹿の子模様の装身具。
【発明の詳細な説明】
【技術分野】
【０００１】
この発明は、ペンダント、ネックレス、ブレスレット、ブローチ等として使用することができる鹿の子模様の装身具に関するものである。
【背景技術】
【０００２】
従来、種々の宝石類やその他の素材がペンダント、ネックレス、ブレスレット、ブローチ等の装身具に使用されている。
そして複数の素材を組み合わせたペンダント、ネックレス、ブレスレット、ブローチ等の装身具の形態としては、下記の例が存在する。
すなわち、実公昭３５−３３４８０号公報（特許文献１参照）には、凹レンズ状の２枚の透明体の中に宝石を挟みこんだものが記載されている。また特開２００２−２１９００９号公報（特許文献２参照）や実開昭５１−２２５９６号公報（特許文献３参照）等には、宝石の上に透明な凸レンズ状のカバーを取り付けたものが記載されている。
さらに登録実用新案第３００８６３８号公報（特許文献４参照）には、光反射シール上に表面が宝石形の凹凸を有する擬似宝石を貼り合せた宝石玩具が記載されている。
【特許文献１】実公昭３５−３３４８０号公報
【特許文献２】特開２００２−２１９００９号公報
【特許文献３】実開昭５１−２２５９６号公報
【特許文献４】登録実用新案第３００８６３８号公報
【発明の開示】
【発明が解決しようとする課題】
【０００３】
確かに上記従来技術においては、凹レンズ状の２枚の透明体の中に宝石を挟みこんだもの（実公昭３５−３３４８０号公報  特許文献１参照）や、宝石の上に透明な凸レンズ状のカバーを取り付けたもの（特開２００２−２１９００９号公報  特許文献２参照、実開昭５１−２２５９６号公報  特許文献３参照等）が示されている。また、大きな宝石の中に小さな宝石を埋め込んで、高価な小さい宝石を拡大して見せる組合せ宝石も周知である。
さらに光反射シール上に表面が宝石形の凹凸を有する擬似宝石を貼り合せた宝石玩具（登録実用新案第３００８６３８号公報  特許文献４参照）も公知である。
しかしながら、上記いずれの従来例にもいても、宝石そのものは通常のカットを施されたものが使用されており、旧態依然としていて限られたデザインの範疇を越えるような装身具は提案されていない。
この発明は、上記したような現状に鑑み、少なくとも２種類の宝石類を交互に配置して鹿の子模様を形成し、そのうちの少なくとも１種類の宝石類を透明ないし半透明とすることにより、新規な風合を有する鹿の子模様の装身具を提供することを目的としている。
【課題を解決するための手段】
【０００４】
上記目的を達成するためにこの発明に係わる鹿の子模様の装身具は、所定の表面模様を備えた背面部材上に、少なくとも２種類の宝石類を交互に配置して鹿の子模様を形成し、そのうちの少なくとも１種類の宝石類を透明ないし半透明として、透明な接着剤を用いて固着したことを特徴とするものである。
【０００５】
この発明に係わる鹿の子模様の装身具は、上記において透明ないし半透明の宝石類が、水晶であることをも特徴とするものである。
【０００６】
この発明に係わる鹿の子模様の装身具は、上記において所定の表面模様を備えた背面部材が、表面研磨した貝殻からなることをも特徴とするものである。
【発明の効果】
【０００７】
この発明によれば、所定の表面模様を備えた背面部材上に、少なくとも２種類の宝石類を交互に配置して鹿の子模様を形成し、そのうちの少なくとも１種類の宝石類を透明ないし半透明としたことにより、従来にない新規な装飾性を備えた装身具を提供することができるようになった。
【０００８】
また、この発明に所定の表面模様を備えた背面部材が、表面研磨した貝殻からなるものであり、個性的な色調、風合をもつ斬新な鹿の子模様の装身具の提供ができ、ペンダント、ネックレス、ブレスレット、ブローチ等の装身具に採用された場合には、高級品のイメージのある付加価値の高い製品が生産できるようになった。
【発明を実施するための最良の形態】
【０００９】
以下この発明に係る鹿の子模様の装身具の実施の形態を、図面に基いて詳細に説明する。図面において、図１はこの発明の鹿の子模様の装身具の１実施例を示す平面図、図２はその側面図、図３は図１の中央横断面図である。
【００１０】
図１ないし図３に示す実施例において、表面部材１１は、少なくとも２種類の宝石類１１−１，１１−２を交互に配置して鹿の子模様を形成している。そしてそのうちの少なくとも１種類の宝石類１１−２として透明ないし半透明の素材を用いている。ちなみに上記第１の宝石類１１−１としては、有色の宝石、例えば黒水晶や黒オニキス等が好適に使用できる。また、透明ないし半透明の第２の宝石類１１−２としては、ジルコン，トパーズ，タンザナイト，トルマリン，アメシスト，ガーネット等の透明な宝石、もしくは半透明なムーンストーンやペリドット等が好適に使用できる。
【００１１】
この表面部材１１の背面には所定の表面模様を備えた背面部材１３が透明な接着剤１５を用いて積層されている。すなわち、背面部材１３を表面部材１１の背面に透明な接着剤１５を介して積層することにより、表面部材１１を構成する透明ないし半透明の第２の宝石類１１−２上から背面部材１３の表面研磨した面が透けて見えるようになっている。
なお、上記接着剤１５としてはイソシアネート系の瞬間接着剤、エポキシ系２液型接着剤、UV硬化型接着剤、その他の透明な接着剤が好適に利用可能である。もちろん、表面部材１１上から背面部材１３の表面研磨した面が透けて見えることが前提であり、上記接着剤１５もそのように機能することが要求される。
【００１２】
上記背面部材１３としては種々のシート状化粧部材が使用可能であるが、表面研磨した貝殻からなるものであることが望ましい。ちなみにこのような貝殻としては、夜光貝，白蝶貝，黒蝶貝，高瀬貝，バウアシェル等が利用可能である。
【００１３】
上記表面部材１１は、宝石切断機やレーザ加工機等を用いて所定の形状に切断される。また所定の模様を備えた背面部材１３も、研磨機等を用いて表面研磨されて装身具部材として使用に供される。
【００１４】
装身具のモチーフとしては、ペンダント、ネックレス、ブレスレット、ブローチ等の装身具に用いて好適な、シンプルで装飾性に優れたものであればよく、動物や植物、器物その他、どのようなモチーフであってもよい。
【００１５】
以上の構造からなるこの発明の鹿の子模様の装身具は、表面部材１１を構成する透明ないし半透明の第２の宝石類１１−２上から背面部材１３の表面研磨した面が透けて見え、不透明な第１の宝石類１１−１との組合せとあいまって、全体として極めて立体感のある新規な装身具として付加価値の高い製品を提供することが可能となる。
【産業上の利用可能性】
【００１６】
以上の構造からなるこの発明の鹿の子模様の装身具は、ペンダント、ネックレス、ブレスレット、ブローチ等の装身具のみならず、衣服用貝ボタン、鞄・袋物用貝ボタン、衣服・鞄・袋物用飾りボタン等のボタンや、他の装飾品、時計文字板、美術工芸品、建材の内装品、化粧板等にも利用することが可能である。
【図面の簡単な説明】
【００１７】
【図１】この発明の鹿の子模様の装身具の１実施例を示す平面図である。
【図２】その側面図である。
【図３】図１の中央横断面図である。
【符号の説明】
【００１８】
１１  表面部材
１１−１  第１の宝石類
１１−２  第２の宝石類
１３  背面部材
１５  透明接着剤
【図１】
2006246970.tif 000003
【図２】
2006246970.tif 000004
【図３】
2006246970.tif 000005